(57)【特許請求の範囲】
【請求項１】
火災感知器を特定する識別子を格納しているＩＣタグが、上記火災感知器に設けられている火災感知器と；
上記火災感知器を特定する識別子を格納しているＩＣタグであって、上記火災感知器に設けられているＩＣタグから、上記識別子を読み出すＩＣタグ用リーダと、上記ＩＣタグ用リーダのアンテナであって、上記火災感知器の試験器に形成されているリーダ用アンテナ部とを具備する火災感知器の試験器と；
を有し、
上記火災感知器に設けられる上記ＩＣタグはＩＣチップ部とアンテナ部とからなり、
上記火災感知器に設けられる上記ＩＣタグのアンテナ部、および上記火災感知器の試験器に設けられる上記ＩＣタグ用リーダのリーダ用アンテナ部が共に略環状であり、
上記火災感知器の試験器は、上記ＩＣタグ用リーダによる個別の情報の読み出しを一定周期で実行させ、同じ情報を複数回読み出すと、火災感知器の試験器を火災感知器に当てたときから火災感知器が動作するまでに相当する時間、上記読み出しを休止することを特徴とする火災報知設備。
【請求項２】
火災感知器を特定する識別子を格納しているＩＣタグが、上記火災感知器に設けられている火災感知器と；
上記火災感知器を特定する識別子を格納しているＩＣタグであって、上記火災感知器に設けられているＩＣタグから、上記識別子を読み出すＩＣタグ用リーダと、上記ＩＣタグ用リーダのアンテナであって、上記火災感知器の試験器に形成されているリーダ用アンテナ部とを具備する火災感知器の試験器と；
を有し、
上記火災感知器に設けられる上記ＩＣタグはＩＣチップ部とアンテナ部とからなり、
上記火災感知器に設けられる上記ＩＣタグのアンテナ部、および上記火災感知器の試験器に設けられる上記ＩＣタグ用リーダのリーダ用アンテナ部が共に略環状であり、
上記火災感知器の試験器に上記火災感知器への近接を検知する近接センサを設け、該近接センサが上記火災感知器の試験器と上記火災試験器との近接を検知している間、上記火災感知器の試験器は、上記ＩＣタグ用リーダによる個別の情報の読み出しを実行し、同一の情報を読み込むと、火災試験器によるリーダの読み込み動作を停止することを特徴とする火災報知設備。
【請求項３】
請求項１又は２の火災報知設備に用いられる上記火災感知器において、
上記ＩＣタグは、上記火災感知器のベースの表面、上記火災感知器のベースの内面、突出する煙検出部の下面または熱検出部のプロテクタに沿って設けられていることを特徴とする火災感知器。
【発明の詳細な説明】
【技術分野】
【０００１】
本発明は、火災感知器およびその試験器に関する。
【背景技術】
【０００２】
所定の防火対象物となる建物等には、消防用設備として火災報知設備の設置が義務付けられている。また、火災報知設備を定期的に点検することも義務付けられ、火災感知器が正常に動作して火災警報を発するかどうかを点検し、この点検結果を消防署等に提出する必要がある。このようにして、設備の維持管理が図られている。
【０００３】
火災感知器には、煙感知器や熱感知器等が用いられ、熱感知器を動作させる場合、長い棒の先に筒状のチャンバを付け、チャンバ内に設けたヒータ等によって、熱感知器に熱を加える加熱試験器を、熱感知器に当接し、熱感知器を動作させる。煙感知器を動作させる場合、上記チャンバ内で擬似的な煙を発生させる加煙試験器を、天井面等に設置されている煙感知器に当接し、煙感知器を動作させる。
【０００４】
このようにして、火災感知器の点検作業を行い、しかも、火災感知器の点検漏れをなくすために、各火災感知器の型式番号、製造年、製造番号等の情報を読み出すシステムが知られ、電磁誘導波によって非接触かつ省電力で情報を読み書きできるＩＣタグを利用することが提案されている（たとえば、特許文献１参照）。
【先行技術文献】
【特許文献】
【０００５】
【特許文献１】特開平１０−１７７６９５号公報
【発明の概要】
【発明が解決しようとする課題】
【０００６】
上記従来例は、煙感知器の筐体側面に、ＩＣチップ部とアンテナ部とを有する超小型データキャリアが貼着されている。このデータキャリアには、煙感知器の型式番号、製造年、製造番号等が記憶されている。また、上記データキャリアは、普通切手の数分の一程度の大きさであり、平面状である。
【０００７】
上記従来例では、加煙試験器の内部に、小型のリーダライタが設けられ、このリーダライタが、上記データキャリアのＩＣチップ部に格納されている情報を非接触で読み出す。また、上記リーダライタには、アンテナが設けられている。
【０００８】
しかし、上記従来例において、煙感知器の動作試験を実行するに際して、煙感知器に加煙試験器を当接した場合、煙感知器に対する加煙試験器の位置（方向）によっては、煙感知器に設けられているデータキャリアと、加煙試験器に設けられているリーダライタとの距離が離れることがあり、この場合には、リーダライタがデータキャリアに格納されている煙感知器の型式番号、製造年、製造番号等を読み出すことができず、これらを読み出すためには、加煙試験器の位置（方向）を、作業員が変えながら動作試験する必要がある。このために、煙感知器の型式番号、製造年、製造番号等の情報を確実に読み出すことが困難であり、また、上記情報を読み出すのに時間がかかることがある。
【０００９】
リーダライタは、消費電力が少ないため、出力パワーが少ない。また、データキャリアが超小型であり、データキャリアに内蔵されているアンテナも超小型である。この状態で、データキャリアの情報をリーダライタが読み出すには、リーダライタをデータキャリアに極力近づける必要があり、上記のように、煙感知器の型式番号、製造年、製造番号等の情報を確実に読み出すことが困難であり、また、上記情報を読み出すのに時間がかかることがある。
【００１０】
すなわち、上記従来例は、火災感知器の動作試験時に、火災感知器の情報を確実かつ迅速に読み出すことができないという問題がある。
【００１１】
本発明は、火災感知器の動作試験時に、火災感知器の情報を確実かつ迅速に読み出すことができる火災感知器およびその試験器を提供することを目的とする。
【課題を解決するための手段】
【００１２】
本発明の火災報知設備は、火災感知器を特定する識別子を格納しているＩＣタグが、火災感知器に設けられている火災感知器と；火災感知器を特定する識別子を格納しているＩＣタグであって、火災感知器に設けられているＩＣタグから、識別子を読み出すＩＣタグ用リーダと、ＩＣタグ用リーダのアンテナであって、火災感知器の試験器に形成されているリーダ用アンテナ部とを具備する火災感知器の試験器と；を有し、火災感知器に設けられるＩＣタグはＩＣチップ部とアンテナ部とからなり、火災感知器に設けられるＩＣタグのアンテナ部、および火災感知器の試験器に設けられるＩＣタグ用リーダのリーダ用アンテナ部が共に略環状であり、火災感知器の試験器は、ＩＣタグ用リーダによる個別の情報の読み出しを一定周期で実行させ、同じ情報を複数回読み出すと、火災感知器の試験器を火災感知器に当てたときから火災感知器が動作するまでに相当する時間、読み出しを休止することを特徴とするものである。
【００１３】
また、本発明の火災報知設備は、火災感知器を特定する識別子を格納しているＩＣタグが、火災感知器に設けられている火災感知器と；火災感知器を特定する識別子を格納しているＩＣタグであって、火災感知器に設けられているＩＣタグから、識別子を読み出すＩＣタグ用リーダと、ＩＣタグ用リーダのアンテナであって、火災感知器の試験器に形成されているリーダ用アンテナ部とを具備する火災感知器の試験器と；を有し、火災感知器に設けられるＩＣタグはＩＣチップ部とアンテナ部とからなり、火災感知器に設けられるＩＣタグのアンテナ部、および火災感知器の試験器に設けられるＩＣタグ用リーダのリーダ用アンテナ部が共に略環状であり、火災感知器の試験器に火災感知器への近接を検知する近接センサを設け、該近接センサが火災感知器の試験器と火災試験器との近接を検知している間、火災感知器の試験器は、ＩＣタグ用リーダによる個別の情報の読み出しを実行し、同一の情報を読み込むと、火災試験器によるリーダの読み込み動作を停止することを特徴とするものである。
【発明の効果】
【００１４】
本発明によれば、火災感知器の動作試験時に、火災感知器の情報を確実かつ迅速に読み出すことができるという効果を奏する。
【図面の簡単な説明】
【００１５】
【図１】本発明の実施例１である煙感知器ＳＥ１を示す図である。
【図２】本発明の実施例２である加煙試験器２０を示す図である。
【図３】煙感知器ＳＥ１、ＳＥ２、ＳＥ３、……、加煙試験器２０が火災報知設備の試験装置１００に使用されている例を示す図である。
【図４】実施例２における動作試験の手順を示すフローチャートである。
【図５】実施例２において、加煙試験器２０が煙感知器の識別番号を読み出す動作を示すフローチャートである。
【図６】本発明の実施例３である煙感知器ＳＥ１ａを示す図である。
【発明を実施するための形態】
【００１６】
発明を実施するための形態は、以下の実施例である。
【実施例１】
【００１７】
図１は、本発明の実施例１である煙感知器ＳＥ１を示す図である。
【００１８】
図１（１）は、煙感知器ＳＥ１の正面図であり、図１（２）は、煙感知器ＳＥ１の底面図である。また、図１（３）は、ＩＣタグＴ１のアンテナ部がほぼ環状に形成されている状態を示す図である。
【００１９】
煙感知器ＳＥ１は、たとえば火災によって発生する煙の濃度を捕らえる光電式スポット型煙感知器であり、ベース１１と、煙検出部１２と、煙流入窓１３と、ＩＣタグＴ１とを有する。
【００２０】
ＩＣタグＴ１は、リング状の形状を有する平板のシールであり、ＩＣタグＴ１の直径は、煙検出部１２の凸部の平面部分の直径よりも小さくなっており、ＩＣタグＴ１は、煙検出部１２の凸部の平面部分に貼付されて設けられている。また、ＩＣタグＴ１は、シート状の基板に、ＩＣチップ部とアンテナ部とが平面状に設けられており、ＩＣチップの両端からリーダ用アンテナ部２５が半円状に設けられ、全体として略環状となっている。ＩＣタグＴ１のＩＣチップ部には、煙感知器ＳＥ１を個別に識別する固有の識別番号が格納されている。この固有の識別番号は、同一設備の中で、さらには同一回線の中で、個々の火災感知器を区別する番号である。また、ＩＣタグＴ１は、自身では電源を持たず、加煙試験器２０に設けられているＩＣタグ用リーダ２４からの電磁誘導波によって与えられた電力によって作動し、識別情報としての識別番号を送信する。ここで、ＩＣタグＴ１は、シールで貼付する形で設けられるので、煙感知器ＳＥ１の製造時だけでなく、建物等に設置されている感知器にも簡便に貼付して設けることができる。
【００２１】
また、ＩＣタグＴ１は、感知器の固有の識別番号のみを保持するだけで十分であるが、煙感知器ＳＥ１の型式番号や製造年等の情報をも同時に格納するようにしてもよい。このようにすることによって、いわゆる型式失効となっている場合や、不具合品を回収したい場合に、上記格納された情報を利用することができ、点検作業とは異なる場面で利用することができる。これらの情報を、ＩＣタグ用リーダ２４が同時に読み出すことができるようにしてもよい。
【００２２】
なお、上記固有の識別番号として、同じ番号の火災感知器が他に存在しないような大きな数、たとえば、２の４５乗までの数字を準備するようにしてもよい。このように大きな数を上記固有の識別番号とし使用することによって、煙感知器ＳＥ１にＩＣタグＴ１を無作為に貼付しても、識別番号が重複することがない。また、ＩＣタグＴ１を含む大量のＩＣタグを一度に製造しても、識別番号の重複がなく、コスト面で有利であり、小規模な設備において、大きな負担なしに導入できるというメリットがある。
【００２３】
実施例１によれば、火災感知器の外形に沿って、ＩＣタグが略環状に設けられているので、火災感知器の動作試験時に、火災感知器の試験器の角度がどのような角度であっても、ＩＣタグのアンテナと火災感知器の試験器のアンテナとの距離が、適切な距離内に収まる。したがって、ＩＣタグに格納されている情報を、火災感知器の試験器が確実かつ迅速に読み取ることができる。
【実施例２】
【００２４】
図２は、本発明の実施例２である加煙試験器２０を示す図である。
【００２５】
図２（１）は、加煙試験器２０の正面図であり、図２（２）は、加煙試験器２０の平面図である。
【００２６】
加煙試験器２０は、煙感知器ＳＥ１を動作試験するために用いられる動作試験器であり、試験器本体２１と、棒２２と、フード２３と、ＩＣタグ用リーダ２４と、リーダ用アンテナ部２５と、記憶手段２７とを有する。また、加煙試験器２０は、ガスボンベ（図示せず）を有し、棒２２の先端に設けたフード２３内に、ガスボンベから擬似的な煙を発生させて、煙感知器ＳＥ１を動作させる。ここで、煙感知器ＳＥ１に対して加煙試験器２０を用いるが、火災感知器が熱感知器である場合には、加煙試験器２０の代わりに加熱試験器が用いられ、火災感知器の種別に応じて対応する試験器が用いられる。
【００２７】
棒２２は、試験器本体２１を支える。
【００２８】
ＩＣタグ用リーダ２４は、電磁誘導波を利用して非接触で、ＩＣタグＴ１に格納されている識別情報（識別番号）を読み出す。つまり、ＩＣタグ用リーダ２４は、ＩＣタグＴ１のアンテナ部に電磁誘導波を発するリーダ用アンテナ部２５を具備し、この電磁誘導波によって、ＩＣタグＴ１に作動電力を供給する。ＩＣタグ用リーダ２４は、電磁誘導波の発信後に、ＩＣタグＴ１から、煙感知器ＳＥ１の固有の識別情報を無線受信する。
【００２９】
図３は、煙感知器ＳＥ１、ＳＥ２、ＳＥ３、……、加煙試験器２０が火災報知設備の試験装置１００に使用されている例を示す図である。
【００３０】
火災報知設備１００は、煙感知器ＳＥ１、ＳＥ２、ＳＥ３と、ＩＣタグＴ１、Ｔ２、Ｔ３と、動作試験器としての加煙試験器２０と、複数でもよい感知器回線３０と、火災受信機４０と、記憶装置４２と、信号処理装置５０と、プリンタ６０とを有する。
【００３１】
また、煙感知器ＳＥ１は、動作すると動作表示灯（図示せず）を点灯し、感知器回線３０に火災信号を出力する。火災を感知すると、いわゆるスイッチング回路によって、感知器回線３０の共通線、信号線の２本の電線間が低インピーダンス状態になり、これによって、火災受信機４０に火災信号が送出される。なお、火災信号の出力方式は、この方式に限る必要はない。煙感知器ＳＥ１は、監視区画の大きさ等に応じて、必要数が感知器回線３０に接続されている。
【００３２】
煙感知器ＳＥ２、ＳＥ３は、煙感知器ＳＥ１と同様の機能、形状を有する。
【００３３】
また、火災感知器として、煙感知器と熱感知器とを混在するようにしてもよい。
【００３４】
なお、煙感知器ＳＥ２には、煙感知器ＳＥ２の固有の識別情報を格納し、ＩＣタグＴ１と同様のＩＣタグＴ２が貼り付けられ、煙感知器ＳＥ３には、煙感知器ＳＥ３の固有の識別情報を格納し、ＩＣタグＴ１と同様のＩＣタグＴ３が貼り付けられている。
【００３５】
記憶手段２７は、各火災感知器のＩＣタグからＩＣタグ用リーダ２４が読み出した識別情報を、発報情報として格納する。
【００３６】
以下の説明では、煙感知器ＳＥ１〜ＳＥ３を代表して、煙感知器ＳＥ１に着目して説明し、必要な場合には煙感知器ＳＥ２、ＳＥ３にも記述する。
【００３７】
火災受信機４０は、煙感知器ＳＥ１が出力する火災信号を、感知器回線３０を介して受信し、火災警報等の必要な火災動作を行い、詳細な説明は省略するが、火災受信機４０の盤面において、火災発生の表示を行うとともに、いわゆる主音響が鳴動され、また、必要な地区音響の鳴動（一斉鳴動または地区鳴動の方式で）を制御する。
【００３８】
火災受信機４０は、いわゆるＰ型である。感知器回線３０を低インピーダンス状態にすることによって火災信号が出力されるので、この状態を監視して、火災信号を検出する受信回路（図示せず）が、火災受信機４０に設けられている。
【００３９】
また、火災受信機４０には、端子部４１を介して、記憶装置４２が設けられ、記憶装置４２は、回線毎に火災信号の数を計数するカウンタ４３と、カウンタ４３が計数した火災信号の数を記憶する記憶手段４４とを有する。カウンタ４３が計数した火災信号の数を、以下では、回線情報という。
【００４０】
記憶手段４４は、火災受信機４０内に固定されてもよいが、火災受信機４０の端子部４１に着脱可能とされており、この場合、通常状態では、記憶装置４２は端子部４１に接続されていなくてもよく、信号処理装置５０で信号処理するに先立って、端子部４１に記憶手段４４を接続し、発報回数を記憶手段４４に格納した後に、記憶装置４２を端子部４１から取り外し、信号処理装置５０に装着するようにしてもよい。
【００４１】
感知器回線３０は、火災受信機４０の筐体内に引き込まれ、所定の端子に接続されることによって、火災受信機４０の受信回路に接続され、また、別途、記憶装置４２が着脱される端子部４１にも接続され、記憶装置４２が感知器回線３０の状態を監視することができ、火災信号を検出できる。
【００４２】
なお、記憶装置４２に格納する情報は、回線情報として、カウンタ４３で計数した火災信号の数でなく、火災信号を検出したタイミングを時刻情報と共に格納する情報であってもよく、火災感知器ＳＥ１〜ＳＥ３が出力した火災信号が出力した火災信号が分かる情報であればよい。
【００４３】
感知器回線３０は、火災受信機４０から引き出され、煙感知器ＳＥ１のような火災感知器が接続されるものであり、設置されている建物等の規模に応じて、１または複数設置される。建物等、または、フロア毎等のように、複数の地区が設定され、地区毎に、感知器回線３０が配線されている。上記地区には、地区番号が付与され、この地区番号に合わせて、感知器回線３０が、回線番号で管理されている。
【００４４】
信号処理装置５０は、比較手段５１と、点検票のデータ作成手段５２とを有する。比較手段５１は、加煙試験器２０の記憶手段２７が記憶している煙感知器の識別情報の数と、火災受信機４０の記憶手段４４が記憶している受信した火災信号の数とを回線ごとに比較する。さらに、事前に設定された設置情報としての設置数とも比較する。点検票のデータ作成手段５２は、煙感知器の識別情報の数と、火災受信機４０の記憶手段４４が記憶している受信した火災信号の数とが同数であれば、動作試験が正常に行われたと判断し、プリンタ６０に点検票打ち出し指令信号を送信する。
【００４５】
次に、上記実施例の動作について説明する。
【００４６】
図４は、実施例における動作試験の手順を示すフローチャートである。
【００４７】
まず、Ｓ１で、準備段階を実行する。火災受信機４０に記憶手段４４が設けられている。火災受信機４０に記憶手段４４が設けられていなければ、準備段階として、火災受信機４０の端子部４１に、着脱自在の記憶手段４４を装着する。ここで、設置されている煙感知器ＳＥ１、ＳＥ２、ＳＥ３には、それぞれＩＣタグＴ１、Ｔ２、Ｔ３が予め貼付されている。動作試験を開始する前に、煙感知器にＩＣタグが貼付されていなければ、動作試験前に、ＩＣタグを煙感知器に貼付する。
【００４８】
また、準備段階において、火災受信機４０は、いわゆる保守モードに設定される。この保守モードは、火災信号を受けた後に直ちに自動復旧するモードである。すなわち、火災受信機４０の機能は、通常、煙感知器が発した火災信号を保持して自動復旧させない。つまり、同じ感知器回線３０を介して、１つ目の火災信号を受けると、復旧の操作をしない限り、２つ目の火災信号を受信できない。しかし、動作試験時においては、保守モードに設定し、火災信号を受けた後に直ちに自動復旧するように設定する。これによって、動作試験時に火災受信機４０の近傍に復旧入力させるための作業員を配置する必要がない。なお、自動復旧させない場合には、火災受信機４０の盤面に、別の作業員を張り付かせ、煙感知器を動作させる作業員と連絡を取りながら、別の作業員が火災信号を復旧させる操作を行わせればよい。
【００４９】
次に、実際に動作試験する作業段階について説明する。
【００５０】
Ｓ２で、動作試験する作業段階を実行し、この作業段階では、３つの、煙感知器ＳＥ１、ＳＥ２、ＳＥ３について動作試験を行うとする。作業段階において、加煙試験器２０を用いて、作業員が、煙感知器ＳＥ１、ＳＥ２、ＳＥ３を順次加煙し、煙感知器ＳＥ１、ＳＥ２、ＳＥ３を動作させる。
【００５１】
まず、加煙試験器２０に設けられているスイッチ（図示せず）を操作し、ＩＣタグ用リーダ２４が起動され、加煙試験器２０を、煙感知器ＳＥ１に近づける。すると、電磁誘導波によって、加煙される煙感知器ＳＥ１に設けられているＩＣタグＴ１に電力が供給され、ＩＣタグＴ１から、煙感知器ＳＥ１の固有の識別番号を、非接触で読み出す。読み出された識別番号を、発報情報として、加煙試験器２０に設けられている記憶手段２７に保存する。その後、煙感知器ＳＥ１の煙濃度が十分に上がり、煙感知器ＳＥ１が動作し、火災信号を出力する。
【００５２】
なお、ＩＣタグ用リーダ２４が煙感知器ＳＥ１の識別情報を読出す動作は、非接触であり、しかも半永久的に行うことができる。ＩＣタグ用リーダ２４とＩＣタグＴ１との間隔が短かければ、識別情報を読み出すことが可能である。また、加煙試験器２０に設けられているリーダ用アンテナ部２５が略環状に形成されているので、ＩＣタグＴ１を囲むように配置され、ＩＣタグＴ１からの電波を受信し易い。しかも、加煙試験器２０を煙感知器ＳＥ１にほとんど接触させる程度に近づけて動作試験することができるので、加煙試験器２０における消費電力を少なくすることができる。また、煙感知器ＳＥ１とこの隣に設置されている煙感知器ＳＥ２との間隔が十分にあるので、２台の煙感知器ＳＥ１、ＳＥ２が識別情報を同時に発することがなく、仮に識別情報を同時に発したとしても、加煙試験器２０から遠い位置に存在している煙感知器ＳＥ２から、その識別情報を加煙試験器２０が受信することがない。
【００５３】
そして、加煙試験器２０を、煙感知器ＳＥ２に近づけ、煙感知器ＳＥ２に設けられているＩＣタグＴ２に電力が供給される。そして、ＩＣタグＴ２から、煙感知器ＳＥ２の固有の識別番号を、非接触で読み出し、煙感知器ＳＥ２が動作する。煙感知器ＳＥ３についても、上記と同様にして、ＩＣタグＴ３から、煙感知器ＳＥ３の固有の識別番号を、非接触で読み出す。
【００５４】
なお、ＩＣタグ用リーダ２４を設ける代わりに、リード機能とライタ機能とを併せ持つ読み書き装置を設け、ＩＣタグＴ１、Ｔ２、Ｔ３に所定情報を書き込みするようにしてもよい。上記書き込む所定情報として、動作試験の実施日の情報が考えられる。
【００５５】
つまり、動作試験として、煙感知器ＳＥ１、ＳＥ２、ＳＥ３を順次動作させると、煙感知器ＳＥ１、ＳＥ２、ＳＥ３の識別番号を、発報情報として、順次、記憶手段２７に蓄積する。
【００５６】
この作業段階において、動作した煙感知器ＳＥ１、ＳＥ２、ＳＥ３が、感知器回線３０を介して、火災受信機４０に火災信号を出力するが、煙感知器を動作させている作業者には、火災信号を目視することができない。この火災信号は、感知器回線３０を介して、火災受信機４０に到達し、火災受信機４０の受信回路が火災信号を検出する。このときに、火災受信機４０に設けられているカウンタ４３が、火災信号を検出した回線毎に火災信号を計数し、カウンタ４３が計数した計数値を、回線情報として記憶手段４４が保持する。
【００５７】
次に、Ｓ３で確認段階を実行する。この確認段階では、加煙試験器２０の記憶手段２７が記憶している煙感知器の識別情報の数と、火災受信機４０の記憶手段４４が記憶している受信した火災信号の数とを、比較手段５１が突合せ、互いに同数であれば、動作試験が正常に行われたと判断する。なお、同一の識別番号が複数設定されていることはないので、同一の識別番号を複数検出した場合、その識別番号は１つであるとして計数する。
【００５８】
そして、Ｓ４で作成段階を実行する。この作成段階では、信号処理装置５０は、動作試験が正常に行なわれたと判断されると、プリンタ６０に点検票打ち出し指令信号と点検票作成のデータとを送信し、プリンタ６０が、動作試験の結果を示す点検票を出力する。すなわち、上記の動作試験による点検作業の結果を、所定の様式で記載した点検票を作成し、消防署等の関係機関に報告する。その際に、この信号処理装置５０を用い、点検票６１を作成し、この点検票６１を見れば、上記確認段階で動作試験が正常終了したと判断されたことを認識することができる。
【００５９】
次に、実施例２において、加煙試験器２０が煙感知器の識別番号を読み出す動作について説明する。
【００６０】
図５は、実施例２において、加煙試験器２０が煙感知器の識別番号を読み出す動作を示すフローチャートである。
【００６１】
加煙試験器２０は起動されると、Ｓ１１で、識別番号を読み込むトライをし、識別番号を取得できれば（Ｓ１２）、取得された識別番号が既に取得した識別番号と重複しているか否かを、Ｓ１３で判断する。重複していないと判断されれば、Ｓ１４で、取得した識別番号を保存し、Ｓ１５で、所定の周期（たとえば５秒間）が経過したか否かを判断する。５秒間経過していれば、Ｓ１１に戻る。５秒間経過していなければ、Ｓ１６で、オフ操作がされたか否かを判断する。オフ操作がされたと判断されれば、終了し、オフ操作がされていないと判断されれば、Ｓ１５に戻り、５秒間の経過を待つ。
【００６２】
一方、Ｓ１３で、識別番号の重複があると判断されれば、重複回数の関数Ｃを、１インクリメントし、Ｓ１８で、重複回数Ｃが所定の定数Ｋ（たとえば２回）に達したか否かを判断する。重複回数Ｃが２回に達していなければ、Ｓ１５に進み、５秒間待機する。Ｓ１８で重複回数Ｃが２回に達していると判断されれば、Ｓ１９で、ＩＣタグ用リーダ２４は所定時間、たとえば１分間読み出しを待機し、待機時間１分間が経過すれば、Ｓ２０で、重複回数の回数Ｃを０に初期化し、Ｓ１１に戻る。Ｓ１９で待機する時間は、火災感知器の試験器を火災感知器に当てたときから火災感知器が動作するまでの時間であることが望ましい。
【００６３】
実施例２によれば、上記火災感知器の試験器に設けられているリーダのアンテナが略環状であるので、火災感知器の動作試験時に、火災感知器の試験器の角度がどのような角度であっても、ＩＣタグのアンテナと火災感知器の試験器のアンテナとの距離が、適切な距離内に収まる。したがって、ＩＣタグに格納されている情報を、火災感知器の試験器が確実かつ迅速に読み取ることができる。
【００６４】
実施例２において、ＩＣタグ用アンテナは、火災感知器の試験器の本体に設けられているフードの端部に沿って略環状に形成されているが、ＩＣタグ用アンテナを、火災感知器の試験器の本体の端部に設け、つまり、試験器本体２１の端部にリーダ用アンテナ部２５を設けるようにしてもよい。
【実施例３】
【００６５】
図６は、本発明の実施例３である煙感知器ＳＥ１ａを示す図である。図６（１）は、煙感知器ＳＥ１ａの正面図であり、図６（２）は、煙感知器ＳＥ１ａの底面図である。
【００６６】
煙感知器ＳＥ１ａは、基本的には、煙感知器ＳＥ１と同じであるが、ＩＣタグＴ１ａの設置位置が異なる。煙感知器ＳＥ１ａでは、ＩＣタグＴ１ａが、煙検出部１２の凸部端面に設けられている。ＩＣタグＴ１ａの機能は、ＩＣタグＴ１と同様である。
【００６７】
実施例３のようにしても、火災感知器の動作試験時に、火災感知器の情報を確実かつ迅速に読み出すことができる。
【００６８】
なお、火災試験器のリーダの読み込み動作は、感知器への近接を検知するセンサ（接近センサ、リミットスイッチ等）を設け、そのセンサが近接を検知している間、火災試験器のリーダが読み込み動作を実行するようにしてもよい。また、上記センサが近接を検知し、この検知を読み込み動作開始のトリガとし、同一の情報を読み込むと、火災試験器によるリーダの読み込み動作を停止するようにしてもよい。
【００６９】
上記各実施例において、火災感知器の試験器の本体にフードが設けられ、上記アンテナは、上記フードの端面に沿って略環状に形成されていてもよい。
【００７０】
上記火災感知器は、各火災感知器のＩＣタグから個別の情報を読み出して格納しながら、各火災感知器を順次動作させ、上記リーダによって読み出された情報が互いに同一であれば、上記互いに同じ情報のうちの一方の情報を記憶せずに破棄するようにしてもよい。このようにすることによって、重複した情報の格納を阻止することができる。つまり、火災感知器の試験器は、無駄な情報を記憶する必要がなく、格納動作も不要である。
【００７１】
また、実施例３において、ＩＣタグを火災感知器のベースに設ける場合、ベースの表面、ベースの内面、突出する煙検出部の下面または熱検出部のプロテクタに沿って設けるようにしてもよい。さらに、ＩＣタグを、火災感知器のベースまたは煙検出部に埋め込むようにしてもよい。
【００７２】
上記各実施例において、火災感知器を特定する識別子を格納しているＩＣタグを、火災感知器に略環状に設けてあるが、この場合、ＩＣタグを、火災感知器に、貼付、固着、付着、ねじ止め等のどの手法によって設けるようにしてもよい。
【００７３】
また、火災感知器又は火災感知器の試験器の少なくともいずれか一方が略環状であればよく、共に略環状でなくてもよい。
【符号の説明】
【００７４】
ＳＥ１、ＳＥ２、ＳＥ３…煙感知器、Ｔ１、Ｔ２、Ｔ３…ＩＣタグ、２０…加煙試験器、２１…試験器本体、２３…フード、２４…ＩＣタグ用リーダ、２５…リーダ用アンテナ部、２７…記憶手段、３０…感知器回線、４０…火災受信機、４１…端子部、４４…記憶手段、５０…信号処理装置。
【図１】
0005684026.tif 000002
【図２】
0005684026.tif 000003
【図３】
0005684026.tif 000004
【図４】
0005684026.tif 000005
【図５】
0005684026.tif 000006
【図６】
0005684026.tif 000007